(57)【要約】【課題】他基地局接続端末及び自基地局接続端末の通話品質を保証することができるアダプティブアレイ基地局を提供すること。【解決手段】端末から１フレームの３スロット目（Ｓ７０１）で同期バーストを受信したアダプティブアレイ基地局２０２は、端末に対して、１フレームの６スロット目（Ｓ７０３）で同期バーストを受信した方向に同期バーストビーム送信を行う。続いて、アダプティブアレイ基地局２０２は、端末から２フレームの３スロット目（Ｓ７０５）でTCHバーストを受信する。アダプティブアレイ基地局２０２は、端末に対して、２フレームの６スロット目（Ｓ７０７）でTCHバーストを受信した方向に同期バーストNULL送信を行う。【選択図】図１
2006197639.tif 000002
【特許請求の範囲】
【請求項１】
送信対象となる移動通信端末に対して、時間空間分割多元接続方式での通信を行う基地局において、
送信ウェイト情報をバッファリングする手段と、
送信ウェイトのアンロックが起きた場合、バッファリングしてある送信ウェイト情報の中から、所定の条件に基づいて最適な送信ウェイト情報を選択する手段と、
前記最適な送信ウェイト情報に基づいて送信ウェイトを決定する手段と、
前記送信ウェイトを用いて送信対象となる移動通信端末に送信する手段と、
を具備したことを特徴とする基地局。
【請求項２】
送信対象となる移動通信端末に対して、時間空間分割多元接続方式での通信を行う方法であって、
送信ウェイト情報をバッファリングするステップと、
送信ウェイトのアンロックが起きた場合に、バッファリングしてある前記送信ウェイト情報の中から、所定の条件に基づいて最適な前記送信ウェイト情報を選択するステップと、
前記最適な送信ウェイト情報に基づいて前記送信ウェイトを決定するステップと、
前記送信ウェイトを用いて送信対象となる移動通信端末に送信するステップと、
を含むことを特徴とする通信方法。
【発明の詳細な説明】
【技術分野】
【０００１】
本発明はＳＤＭＡ(Space Division Multiple Access：空間分割多元接続)方式の通信システムに関するものであり、ＳＤＭＡ方式を採用するアダプティブアレイ基地局に関するものである。
【背景技術】
【０００２】
アダプティブアレイ基地局において、自基地局に接続している端末（自基地局接続端末）がハンドオーバを試みる場合は、その端末がハンドオーバに失敗し自基地局に戻される可能性があるため、基地局側では最大15秒間同期バーストの送受信モードに入る。そして、同期バースト送受信モード中に同期バースト以外のバーストを受信したとしても単に破棄するだけである（従来技術１）。また、他基地局に接続中の端末が移動などをすることによって、当該端末からの干渉が大きくなってしまった場合、基地局のスクランブルシード（８ビットの識別情報）が同じであれば、自基地局接続端末からの希望波と他基地局接続端末からの妨害波との区別がつけられなくなってしまうため、それまで干渉波方向にNULL（ヌル）を形成し、その送信ウェイトでロックできていたのが、ロックできなくなってしまう（従来技術２）。
【発明の開示】
【発明が解決しようとする課題】
【０００３】
しかしながら、従来技術１のように空間多重化技術を用いず単に他のバーストを破棄するだけでは、他基地局に接続中の端末（例えば、端末Ａとする）から通話チャネルのTCHバーストを受信した場合にその方向にNULLが形成されないため、端末Ａに干渉を与えてしまうことになる。また、従来技術２のように送信ウェイトがロックできない場合時分割多重が損なわれるため、他基地局に接続中の端末へ干渉を与えてしまう。本発明は、上記従来技術の課題に鑑みて、他基地局接続端末及び自基地局接続端末の通話品質を保証することのできるアダプティブアレイ基地局を提供することを目的とする。
【課題を解決するための手段】
【０００４】
上述の課題を解決するために、本願第１の発明のアダプティブアレイ基地局は、移動通信端末との同期を確立するための同期バースト送受信モード時に、該同期バースト受信のタイミングで通話チャネルのバーストを受信した場合、通話チャネルのバーストが送られてきた方向に、同期バースト送信のタイミングでアダプティブヌルスティアリングを実行する手段を具備したことを特徴とする。
【０００５】
さらに、本願第２の発明のアダプティブアレイ基地局は、移動通信端末との同期を確立するための同期バースト送受信モード時に、該同期バースト受信のタイミングで受信したバースト上のフレーム同期確立用信号を参照し、当該フレーム同期確立用信号の符号列と、予め保持しておいた第１の符号列とを比較する第１の比較手段と、第１の比較手段による比較の結果、不一致ビット数が所定数未満の場合、受信したバーストを同期バーストであると認識し、当該同期バーストが送られてきた方向に、同期バースト送信のタイミングでアダプティブビーム送信を実行する手段と、第１の比較手段による比較の結果、不一致ビット数が所定数以上の場合、当該フレーム同期確立用信号の符号列と、予め保持しておいた第２の符号列とを比較する第２の比較手段と、第２の比較手段による比較の結果、不一致ビット数が所定数未満の場合、受信したバーストを通話チャネルのバーストであると認識し、当該通話チャネルのバーストが送られてきた方向に、同期バースト送信のタイミングでアダプティブヌルスティアリングを実行する手段とを具備したことを特徴とする。
【０００６】
さらに、本願第３の発明の基地局は、送信対象となる移動通信端末に対して、時間空間分割多元接続方式での通信を行い、送信ウェイト情報をバッファリングする手段と、送信ウェイトのアンロックが起きた場合、バッファリングしてある送信ウェイト情報の中から、所定の条件に基づいて最適な送信ウェイト情報を選択する手段と、最適な送信ウェイト情報に基づいて送信ウェイトを決定する手段と、決定した送信ウェイトを用いて送信対象となる移動通信端末に送信する手段とを具備したことを特徴とする。
【発明の効果】
【０００７】
本発明のアダプティブアレイ基地局によれば、他基地局接続端末及び自基地局接続端末の通話品質を保証することができる。
【発明を実施するための最良の形態】
【０００８】
次に添付図面を参照して、本発明によるアダプティブアレイ基地局をデジタル無線通信用アダブティブアレイ基地局であるＰＨＳ基地局に適用したときの実施の形態について詳細に説明する。なお、ここで使用する用語「ＰＨＳ基地局」はパーソナルハンディーフォンシステム（ARIB STD-28）で使用する基地局を意味するものである。
【０００９】
添付図面は図１〜図１３あり、図１はハンドオーバ時のシーケンスチャート、図２はアダプティブアレイ基地局でのビーム送信とNULL送信とを表す図、図３R>３はハンドオーバ後の同期バースト送信を表す図、図４は本発明の実施の形態であるアダプティブアレイ基地局の機能ブロック図、図５はTCHのデータフォーマット、図６はSYNCのデータフォーマット、図７は同期バーストビーム送信及び同期バーストNULL送信のタイムスロット例、図８は ハンドオーバ後の同期バーストNULL送信を表す図、図９はアダプティブアレイ基地局の送信ウェイトロック状態を表す図、図１０は希望波と妨害波の推移を表す図、図１１はアダプティブアレイ基地局の送信ウェイトアンロック状態を表す図、図１２は送信ウェイト情報のバッファリング方法を説明するタイムスロット例、図１３はバッファリングされた送信ウェイト情報を使用した状態を表す図である。
【実施例１】
【００１０】
無線区間に設けられるチャネルは、基本的にユーザ情報を転送する通話チャネル（ＴＣＨ）と、制御信号を転送する制御チャネル（ＣＣＨ）とから構成される。そして、ＣＣＨからＴＣＨへの移行時や、端末のハンドオーバ時には同期バーストを使って基地局と端末との間で同期確立を図り、その後ＴＣＨで通話をする。パーソナルハンディーフォンシステムの場合、同期バーストのフォーマットでは上りの同期ワードＵＷが３２ビット用意されており、ＴＣＨのフォーマットでは上りのＵＷが１６ビット用意されている。
【００１１】
ＰＨＳ基地局において、自基地局に接続している端末がハンドオーバを試みた場合は、その端末がハンドオーバに失敗して自基地局に切り戻される可能性があるため、基地局側では最大15秒間同期バーストの同期バースト送受信モードに入る。そして、当該モード中に同期バースト以外のバーストを受信したとしても、そのバーストを単に破棄するだけで、次の同期バーストの送信には何ら変更を加えなかった。
【００１２】
図１は、従来のハンドオーバ成功時のシーケンスチャートである。ハンドオーバには基地局から指示を出して切り替わる場合と、端末から指示を出して切り替わる場合との二つがあるが、ここでは前者のシーケンスチャートを示している。同図に示すように、ハンドオーバ元基地局１０３ａからハンドオーバ指示１０５を出してから、端末１０１とハンドオーバ先基地局１０３ｂとの間では呼設定処理（図１のハンドオーバ処理１０９）を行うが、その間ハンドオーバ元基地局１０３ａでは、端末１０１がハンドオーバに失敗して切り戻ってくる可能性があるため、15秒間同期バースト（１０７ａ〜１０７ｄ）の送信を行っている。もしハンドオーバに成功すれば、ハンドオーバ元基地局１０３ａでは15秒間の同期バースト送信後、切断処理を行う。図２及び図３は上記従来のシーケンスチャートにしたがって処理を行ったときの状態を表す図である。
【００１３】
図２は、従来例でＰＨＳ基地局２０２(以下、基地局２０２）に端末ＰＳ２（以下、ＰＳ２）が接続しており、基地局２０１に端末ＰＳ１（以下、ＰＳ１）が接続しているときの状態を図で表したものである。基地局２０２は、自基地局に接続しているＰＳ２に対してはアダプティブビームを送信（アダプティブビームフォーミング）し、基地局２０１（他基地局）に接続しているＰＳ１に対しては干渉を与えないようにNULL（アダプティブヌルスティアリング）を形成する。また、ＰＳ２と通話状態にある基地局２０２では、TCH受信モードでＰＳ２からのバースト信号（以下、TCHバースト）を受信して、その方向にアダプティブビームを送信する。また、基地局２０１と通話状態にあるＰＳ１からのTCHバーストを基地局２０２が受信した場合、基地局２０２ではそのバーストを干渉波とみなし、その方向にNULLを形成する。
【００１４】
図３は、従来例で基地局２０２に接続していたＰＳ２が、他基地局にハンドオーバするときの状態を図で表したものである。基地局２０２ではＰＳ２がハンドオーバに失敗して切り戻ってくる可能性があるため、最大15秒間同期バーストの送受信モードに入る。この時、基地局２０２でＰＳ１からのTCHバーストを受信した場合、基地局２０２は同期バースト送受信モード中なのでそのTCHバーストを破棄するだけで、次の同期バーストの送信には何の影響も与えない。よって、ＰＳ１の方向にNULLを形成せずに同期バーストを送信してしまい、それがＰＳ１にとって妨害波となってしまう。
【００１５】
本発明の実施例１の形態では、端末がハンドオーバした後、ハンドオーバ元基地局での同期バースト送受信モード中にTCHバーストを受信した場合には、それを干渉波とみなし、TCHバーストが送られてきた方向にNULLを形成するように同期バーストの送信を行う。これにより、ハンドオーバに無関係の端末に対する、同期バーストでの妨害波を回避することができる。
【００１６】
図４を参照すると、本発明によるアダプティブアレイ基地局をデジタル無線通信用アダブティブアレイ基地局であるＰＨＳ基地局に適用したときの実施の形態を示す機能ブロック図が示されている。図４において、本実施の形態によるアダプティブアレイ基地局２０２は、４つのアンテナＡＮＴ１〜ＡＮＴ４を備え、これらアンテナＡＮＴが送受信切り替えスイッチ１２に接続されている。送受信切り替えスイッチ１２は、これらアンテナＡＮＴ１〜ＡＮＴ４を時分割で制御して送信と受信との切り替え制御を行っている。送受信切り替えスイッチ１２には受信系モジュール１４と送信系モジュール２２とが接続されている。
【００１７】
受信系モジュール１４は、各アンテナＡＮＴ毎に備えた、４つのローノイズ増幅器（ＬＮＡ）１６、ダウンコンバータ（Ｄ／Ｃ）１８、Ａ／Ｄコンバータ（Ａ／Ｄ）２０により構成されている。受信系モジュール１４はまた、モデム部３０に接続され、ローノイズ増幅器１６、ダウンコンバータ１８およびＡ／Ｄコンバータ（Ａ／Ｄ）２０は、信号経路である送受信切り替えスイッチ１２からモデム部３０に向かってこの順番で接続されている。
【００１８】
送信系モジュール２２は、同様に、各アンテナＡＮＴ毎に備えた、４つのＤ／Ａコンバータ（Ｄ／Ａ）２４、アッパコンバータ（Ｕ／Ｃ）２６、乗算回路（ＭＰ）２８ａ及びｂにより構成されている。送信系モジュール２２はまた、モデム部３０に接続され、Ｄ／Ａコンバータ２４、アッパコンバータ２６および乗算回路２８ａ及びｂは、信号経路であるモデム部３０から送受信系切り替えスイッチ１２に向かってこの順番で接続されている。そして、２つの呼に空間多重する場合は、乗算回路２８ａと乗算回路２８ｂとを使って各呼に異なる重みで送信できるようにしている。
【００１９】
モデム部３０は、複数のＣＰＵから構成されており、送受信データの変復調およびデジタル信号処理による位相制御を行なっている。具体的には以下の５つの制御を行う。
【００２０】
１．受信系モジュール１４の最終段で変換されたディジタル信号の例えばＤ／Ｕ(Desire/Undesire: 希望波／妨害波）が最大となるように合成し復調する。
【００２１】
２．アンテナＡＮＴでの受信の位相を算出して、送信時にはアンテナ端で同等の位相になるように制御する。それによって、通信を行う端末の方向に送信／受信とも指向性を持たせることができる。
【００２２】
３．干渉波と遅延波の到来方向にヌル点を形成することによって抑圧する。
【００２３】
４．ｎ本のアンテナに供給する信号の位相を制御することによって、任意の方向に指向性を持たせてビームを絞って送信することを可能とする。
【００２４】
５．周囲の基地局や通話中、あるいはデータ（通信）のやりとりをしている当該ユーザ端末以外の端末に対して、下り方向に与える干渉を減少させる。
【００２５】
このモデム部３０は制御部３２に接続されている。制御部３２は複数のＣＰＵから構成され、基地局２０２全体の制御を行う。具体的には以下の６つの制御を行う。
【００２６】
１．モデム部３０に対して必要なパラメータおよびタイミングを指示し、モデム部３０が受信したデータを処理する。また、空中に輻射すべきデータを作成してモデム部３０に渡す。さらに、キャリブレーションによって計算された重み付けによる送信出力の制御を指示する。
【００２７】
２．ユーザ端末（ユーザの端末、以下単にユーザと称す）からのSpatial Signature（受信応答ベクトル）の変化速度を計算する。
【００２８】
３．ユーザからの上りの受信信号レベルＲＳＳＩの統計処理をする。
【００２９】
４．空間多重した呼のＧＯＳ（Grade Of Service：通話品質）が空間多重でない通常の呼のＧＯＳとできるだけ同じになるようなロジックで空間多重の物理スロット割当てを行う。
【００３０】
５．複数ユーザに対して空間多重で通話を確立する場合は、夫々のユーザへのC/I（Carrier/Interference）がユーザのＧＯＳを良好に保つ為に必要な値以上になるように、夫々のユーザへの重みを計算する。
【００３１】
６．ＩＳＤＮ回線に接続され、これとのインタフェースの処理を実行する。
【００３２】
電源部３４は１００Ｖの電源の供給を受け、アダプティブアレイ基地局２０２に電力を供給する電源部である。なお、モデム部３０および制御部３２によりデジタル信号処理部が形成される。基地局２０２では、Ｎ（Ｎは２以上の自然数）本のアンテナから受信した受信情報（振幅と位相）を元にして、各アンテナに対しそれぞれ所定の重み付けで送信するアダプティブアレイ送信を行っている。
【００３３】
前述したように、本実施の形態では端末がハンドオーバした後、アダプティブアレイ基地局２０２での同期バースト送受信モード中に、ａ及びｂの処理を行うことができる。
【００３４】
ａ．同期バーストを受信した場合：同期バーストを受信した方向に、同期バーストビーム送信を行う。
【００３５】
ｂ．TCHバーストを受信した場合：それを干渉波とみなし、TCHバーストが送られてきた方向にNULLを形成するように同期バーストの送信を行う。
【００３６】
図５は、TCH（TCHバースト）の信号フォーマットである。過渡応答用ランプタイムR（各スロットの立上り時間の保障を行う）は４ビット、スタートシンボルSS（信号のスタートを示す）は２ビット、プリアンブルPR（ビット同期確立用）は６ビット、チャネル種別CIは４ビット、SA（SACCH）は１６ビット、誤り検出符号CRCは１６ビットで構成されており、実際に音声が乗る情報ビットIは１６０ビットで構成されている。TCHの場合、同期ワードUWは１６ビットである。
【００３７】
図６は、SYNC（同期バースト）の信号フォーマットである。過渡応答用ランプタイムR（各スロットの立上り時間の保障を行う）は４ビット、スタートシンボルSS（信号のスタートを示す）は２ビット、プリアンブルPR（ビット同期確立用）は６２ビット、チャネル種別CIは４ビット、着識別符号（接続を行う相手局の呼出符号を含む）は４２ビット、発識別符号（自局の呼出符号を含む）は２８ビット、アイドルビットは３４ビット、誤り検出符号CRCは１６ビットで構成されている。SYNCの場合、同期ワードUWは３２ビットである。
【００３８】
TCH（図５）及びSYNC（図６）の双方にある同期ワードUWは、バースト毎に唯一の符号列を有する信号であり、通常、フレーム同期確立に使用する。他者の信号や雑音の中からこの符号を探し出し、これに選択的なフィルタをかけることにより同期状態を作り出す。本実施の形態では、受信したバーストが同期バーストなのかTCHバーストなのかを区別するためこの同期ワードUWを用いる。このときの処理をステップ１〜４に示す。
【００３９】
ステップ１：同期バースト送受信モード中に受信したバーストは、まず同期バーストか否かをUWエラー数のみで確認する。具体的には、本来SYNC（図６）のUW信号に含まれる符号列と、受信したバーストのUW信号の符号列とを比較し、不一致ビット数（UWエラー数）をカウントする。
【００４０】
ステップ２：UWエラー数が許容範囲内（国内では４ビット以下、国外では１ビット以下）であった場合には、そのバーストを同期バーストとして処理する。すなわち、次の送信時に、同期バーストが送られてきた方向にアダプティブビーム送信を行う。
【００４１】
ステップ３：UWエラー数が許容範囲を超えていた場合には、そのバーストは同期バーストではないと判断し、次に、TCHバーストか否かをUWエラー数のみで確認する。具体的には、本来TCH（図５）バーストのUW信号に含まれる符号列と、受信したバーストのUW信号の符号列とを比較し、不一致ビット数（UWエラー数）をカウントする。
【００４２】
ステップ４：UWエラー数が許容範囲内（国内では４ビット以下、国外では１ビット以下）であった場合には、そのバーストをTCHバーストとして処理する。すなわち、次の送信時に、TCHバーストが送られてきた方向に同期バースト送信によるアダプティブヌルスティアリングを行う。
【００４３】
図７及び図８はステップ１〜４を用いて、同期バースト／TCHバーストの区別を行った場合の実施の形態を説明した図である。図７は、アダプティブアレイ基地局２０２による同期バーストビーム送信及び同期バーストNULL送信のタイムスロット例である。同図において、基地局２０２は、端末から１フレームの３スロット目（Ｓ７０１）で同期バーストを受信する。アダプティブアレイ基地局２０２は、端末に対して、１フレームの７スロット目（Ｓ７０３）で同期バーストを受信した方向に同期バーストビーム送信を行う。続いて、アダプティブアレイ基地局２０２は、端末から２フレームの３スロット目（Ｓ７０５）でTCHバーストを受信する。アダプティブアレイ基地局２０２は、端末に対して、２フレームの７スロット目（Ｓ７０７）でTCHバーストを受信した方向に同期バーストNULL送信を行う。
【００４４】
図８は、基地局２０２に接続していたＰＳ２が、他基地局にハンドオーバするときの状態を図で表したものである。基地局２０２と通話状態にあったＰＳ２がハンドオーバした場合、基地局２０２ではＰＳ２が切り戻ってくる可能性があるため、最大15秒間、同期バースト送受信モードに入る。その時、基地局２０２において、基地局２０１と通話状態にあるＰＳ１のTCHバーストを受信した場合は、その方向に対してNULLを形成するようにして次の同期バーストの送信を行う。これにより、基地局２０２からのＰＳ１に対する同期バーストでの妨害波を回避できる。
【実施例２】
【００４５】
図９は、基地局２０２(アダプティブアレイ基地局)に接続している端末が３機（ＰＳ２、ＰＳ３、ＰＳ４）あり、それらに対してアダプティブビームを送信し、基地局２０１に接続している端末ＰＳ１に対しては干渉を与えないようにNULLを形成している状態を表す図である。３機（ＰＳ２〜ＰＳ４）と通話状態にある基地局２０２では、TCH受信モードで３機（ＰＳ２〜ＰＳ４）からのTCHバーストを受信して、その方向にアダプティブビームを送信する。また、基地局２０１と通話状態にあるＰＳ１からのTCHバーストを基地局２０２が受信した場合には、それを妨害波とみなし、その方向にNULLを形成する。このようにアダプティブビーム及びNULLの方向が決まって、送信ウェイトが確定している状態を「送信ウェイトがロックされている」と呼ぶものとする。
【００４６】
基地局２０２では、既に３機（ＰＳ２〜ＰＳ４）が通話状態にあるため、ＰＳ１は基地局２０２に対してハンドオーバすることができない。よって、基地局２０２ではＰＳ１に対してNULLを形成し続けようとする。通常、各基地局では自接続端末を区別できるように、スクランブルシード（８ビットの識別情報）を設けてあり、端末からのバーストに付随してあるスクランブルシードを元に、その端末が自局接続端末か他局接続端末かを見分けている。
【００４７】
基地局２０１と基地局２０２とのスクランブルシードが異なっていれば、基地局２０２ではＰＳ１のTCHバーストのスクランブルシードが自分のそれとは異なっているため、ＰＳ１が他局接続端末であるということを認識できる。よって、ＰＳ１を干渉波とみなし、その方向にNULLを形成することができる。しかしながら、基地局２０１と基地局２０２のスクランブルシードが同じ場合には、以下に示すような状況Ａの下において、本来妨害波であるＰＳ１からのTCHバーストと、希望波であるＰＳ２からのTCHバーストとの区別がつかなくなることがある。
【００４８】
状況Ａ：図１０は、基地局２０２における希望波と妨害波との推移を示したものである。縦軸は受信レベル、横軸は時間を表している。同図では、時間の経過と共にＰＳ１からの妨害波１００３のレベルが上がり、ＰＳ２からの希望波１００１のレベルが下がっている。このような場合、基地局２０２では希望波と妨害波との区別がつかなくなってしまう。図１１は、基地局２０２に接続している端末が３機（ＰＳ２、ＰＳ３、ＰＳ４）あり、基地局２０１に接続中の端末ＰＳ１が移動などをすることによって、それからの干渉が大きくなってしまった状態を表す図である。図１１のような場合、各端末からの信号の受信レベルが変化して図１０のような状態になる。
【００４９】
その結果、それまで他基地局接続端末の方向にNULLを形成し、その送信ウェイトでロックできていたのが、ロックできなくなってしまうのでNULLを形成できなくなってしまう。これにより、他基地局接続中の端末に対して干渉を与えてしまうことになる。また、それまで自基地局に接続している端末には十分なレベルでの送信を行っていたのが、送信ウェイトがロックできなくなったために、その端末に対する十分なレベルが確保できなくなってしまう。図１１のような状態を「送信ウェイトのアンロック」と呼ぶものとする。
【００５０】
送信ウェイトのアンロックは下記の両条件が揃った時に起こる。
【００５１】
条件ア：妨害波RSSI値が希望波RSSI値よりも一定値以上高い。
【００５２】
条件イ：CRCエラー数が一定値以上。
【００５３】
送信ウェイトのアンロックが解除されるのは、下記の両条件を満たす時とする。
【００５４】
条件ア：希望波RSSI値が妨害波RSSI値より十分高い値である。
【００５５】
条件イ：CRCエラー数が一定値以下の時、又は、妨害波となっている呼が切れた時。
【００５６】
本発明による基地局２０２は、所定のタイミング（例えば、5msec毎）で送信ウェイトに関する情報(振幅、位相、UWエラー数、CRCエラー数など)をバッファリングする。そして、下記の両期間は、バッファリングしてある送信ウェイトに関する情報（以下、「送信ウェイト情報」とする）の中から最適なものを選択し、送信ウェイトを決定する。
【００５７】
期間Ａ：送信ウェイトのアンロック〜アンロック解除。
【００５８】
期間Ｂ：送信ウェイトのアンロック〜妨害波となっている呼の切断。
【００５９】
送信ウェイト情報の選択は、直前までにバッファリングしていた送信ウェイト情報の中から最適なものを選択し、「最適な送信ウェイト情報の振幅及び位相」から送信ウェイトを算出し、それを用いて自局に接続している端末に送信するものとする。最適な送信ウェイト情報の選択方法の例を以下に示す。
【００６０】
選択方法Ｉ：CRCエラー数が１ビット以下のもの。CRCエラー数が１ビット以下のものが複数ある場合、アンロック発生前でアンロック発生時に最も近い時刻にバッファリングしたもの。
【００６１】
選択方法ＩＩ：CRCエラー数が全て２ビット以上の場合、UWエラー数とCRCエラー数との合計値が最も少ないもの。合計値同一のものが複数ある場合、アンロック発生前でアンロック発生時に最も近い時刻にバッファリングしたもの。
【００６２】
図１２に送信ウェイト情報のバッファリング方法のタイムスロット例を示す。本実施の形態におけるフレーム長は5msecであり、バッファリングのタイミングも5msecとする。本実施の形態では送信ウェイト情報のバッファリングを、３スロット目、１１スロット目、１９スロット目・・・というように、８スロットおきに行うが（Ｓ１２０１）、これに限定されないことは明らかである。ここで、バッファリング方法の簡単な例を表１に示す。
【表１】
2006197639.tif 000003
【００６３】
本実施の形態では100msec間、バッファリングを行うものとし、5msecに1回バッファリングをするので、計20個の情報があるものとする。バッファリングする送信ウェイト情報は振幅、位相、CRCエラー、UWエラーとする。この例では妨害波RSSI値が希望波RSSI値より15dB以上高くなり、その時のCRCエラー数が2bit以上になった時に送信ウェイトのアンロックが起こるものとする。また、アンロックの解除は、妨害波RSSI値と希望波RSSI値との差が15dBより小さく、またCRCエラー数が1bit以下の時とする。
【００６４】
表１の場合、item8で妨害波RSSI値が希望波RSSI値を16dB上回ってあり、その時のCRCエラー数が9bitなので、この時に送信ウェイトのアンロックが起こる（図１２のＳ１２０３）。基地局２０２はitem8の直前までの20個の送信ウェイト情報の中で上記の所定条件を満たすもの、表１の場合、item4の時の位相と振幅とを用いて送信ウェイトを算出し、次の送信を行う（図１２R>２のＳ１２０５）。
【００６５】
item9からitem11までは送信ウェイトアンロック状態が続いているので、item8と同様にして、バッファリングデータから送信ウェイトを算出している。item12では希望波RSSI値と妨害波RSSI値の差が8dB取れていて、その時のCRCエラー数が1bitなので、希望波と妨害波を区別でき、ビーム送信とNULL送信をできるようになる。よってこのとき送信ウェイトのアンロックは解除され、再び送信ウェイトをロックできる。
【００６６】
図１３は、基地局２０２に接続している端末が３機（ＰＳ２、ＰＳ３、ＰＳ４）あり、それらに対してアダプティブビームを送信しているときに、端末ＰＳ１（基地局２０１の接続端末）が近づいてきた状態を表した図である。基地局２０２ではNULLを形成していたＰＳ１が近づいてきて、送信ウェイトがアンロックした場合でも、表１の例のようにバッファリングデータを用いることにより、直前の送信ウェイトがロックしていた状態での最良の送信ウェイトを使用することができる。これにより、基地局２０２がＰＳ１に与える干渉も最低限におさえることができ、またＰＳ２〜ＰＳ４に対する希望波(アダプティブビーム)も最低限は確保できることになり、４機（ＰＳ１〜ＰＳ４）全ての通話品質が向上する。
【００６７】
このように本発明によれば、他基地局接続中の端末に対する干渉を最小限に抑えることができ、また自基地局接続端末に対するレベルも最低限確保することができる。以上、本発明の実施の形態を詳細に説明したが、本発明はこれに限定されるものではなく、パーソナルハンディーフォンシステム以外の通信システムで使用することも可能である。
【図面の簡単な説明】
【００６８】
【図１】従来のハンドオーバ時のシーケンスチャート。
【図２】図１のシーケンスにしたがって処理を行ったときのアダプティブアレイ基地局でのビーム送信とNULL送信とを表す図。
【図３】図１のシーケンスにしたがって処理を行ったときのハンドオーバ後の同期バースト送信を表す図。
【図４】本発明の実施の形態であるアダプティブアレイ基地局の機能ブロック図。
【図５】本発明の実施の形態である通話チャネルTCHのデータフォーマット。
【図６】本発明の実施の形態である同期バーストSYNCのデータフォーマット。
【図７】本発明の実施の形態である同期バーストビーム送信及び同期バーストNULL送信のタイムスロット例。
【図８】本発明の実施の形態であるハンドオーバ後の同期バーストNULL送信を表す図。
【図９】本発明の実施の形態であるアダプティブアレイ基地局の送信ウェイトロック状態を表す図。
【図１０】本発明の実施の形態である希望波と妨害波の推移を表す図。
【図１１】本発明の実施の形態であるアダプティブアレイ基地局の送信ウェイトアンロック状態を表す図。
【図１２】本発明の実施の形態である送信ウェイト情報のバッファリング方法を説明するタイムスロット例。
【図１３】本発明の実施の形態であるバッファリングされた送信ウェイト情報を使用した状態を表す図。
【符号の説明】
【００６９】
ＰＳ１，ＰＳ２，ＰＳ３，ＰＳ４    端末
２０１    基地局
２０２    アダプティブアレイ基地局  
【図１】
2006197639.tif 000004
【図２】
2006197639.tif 000005
【図３】
2006197639.tif 000006
【図４】
2006197639.tif 000007
【図５】
2006197639.tif 000008
【図６】
2006197639.tif 000009
【図７】
2006197639.tif 000010
【図８】
2006197639.tif 000011
【図９】
2006197639.tif 000012
【図１０】
2006197639.tif 000013
【図１１】
2006197639.tif 000014
【図１２】
2006197639.tif 000015
【図１３】
2006197639.tif 000016